(57)【要約】  【課題】  洗い、すすぎ、脱水の一連の行程を行う洗濯機において、外槽および洗濯兼脱水槽内の水温に合わせた脱水回転数と脱水時間を設定できるようにし、水温による構造的な強度や耐久性を確保し、脱水効率のばらつきを低減する。  【解決手段】  外槽１内に洗濯兼脱水槽３を回転自在に設け、この洗濯兼脱水槽３の内底部に撹拌翼２を回転自在に設け、洗濯兼脱水槽３および撹拌翼２をモータ６により駆動し、制御手段によりモータ６などの動作を制御し洗い、すすぎ、脱水の一連の行程を逐次制御し、外槽１および洗濯兼脱水槽３内の水温を水温検知手段２６により検知する。制御手段は、洗い、すすぎ、脱水行程のそれぞれの行程間および脱水行程の少なくとも１つにおいて洗濯兼脱水槽３を回転させる行程を有し、水温検知手段２６の出力に応じてその回転数と時間のうち少なくとも時間を変更可能とする。【選択図】  図１
2005052286.tif 000002
【特許請求の範囲】
【請求項１】
外槽内に回転自在に設けた洗濯兼脱水槽と、この洗濯兼脱水槽の内底部に回転自在に設けた撹拌翼と、前記洗濯兼脱水槽および撹拌翼を駆動する駆動手段と、前記駆動手段などの動作を制御し洗い、すすぎ、脱水の一連の行程を逐次制御する制御手段と、前記外槽および前記洗濯兼脱水槽内の水温を検知する水温検知手段とを備え、前記制御手段は、洗い、すすぎ、脱水行程のそれぞれの行程間および前記脱水行程の少なくとも１つにおいて前記洗濯兼脱水槽を回転させる行程を有し、前記水温検知手段の出力に応じてその回転数と時間のうち少なくとも時間を変更可能とした洗濯機。
【請求項２】
外槽内に回転自在に設けた洗濯兼脱水槽と、この洗濯兼脱水槽の内底部に回転自在に設けた撹拌翼と、前記洗濯兼脱水槽および撹拌翼を駆動する駆動手段と、前記駆動手段などの動作を制御し洗い、すすぎ、脱水の一連の行程を逐次制御する制御手段と、前記洗濯兼脱水槽内の洗濯物の量を検知する布量検知手段とを備え、前記制御手段は、洗い、すすぎ、脱水行程のそれぞれの行程間および前記脱水行程の少なくとも１つにおいて前記洗濯兼脱水槽を回転させる行程を有し、前記布量検知手段の出力に応じてその回転数と時間のうち少なくとも時間を変更可能とした洗濯機。
【請求項３】
外槽内に回転自在に設けた洗濯兼脱水槽と、この洗濯兼脱水槽の内底部に回転自在に設けた撹拌翼と、前記洗濯兼脱水槽および撹拌翼を駆動する駆動手段と、前記駆動手段などの動作を制御し洗い、すすぎ、脱水の一連の行程を逐次制御する制御手段とを備え、前記制御手段は、洗い、すすぎ、脱水行程のそれぞれの行程間および前記脱水行程の少なくとも１つにおいて前記洗濯兼脱水槽を回転させる行程を有し、前記洗濯兼脱水槽内の洗濯物の量を検知する布量検知手段、前記外槽および前記洗濯兼脱水槽内の水温を検知する水温検知手段のの出力に応じてその回転数と時間のうち少なくとも時間を変更可能とした洗濯機。
【発明の詳細な説明】
【技術分野】
【０００１】
本発明は、洗い、すすぎ、脱水の一連の行程を行う洗濯機に関する。
【背景技術】
【０００２】
従来、代表的な洗濯機は、パルセーターと呼ばれる撹拌翼を回転させて洗濯するものであり、この種の洗濯機の構成を図６および図７を参照しながら説明する。
【０００３】
図６に示すように、外槽１は、底部に撹拌翼２を回転自在に配設した洗濯兼脱水槽３を内包し、吊り棒４により筐体５に吊り下げている。モータ６は、Ｖベルト７および減速機構兼クラッチ８を介して、洗濯時には撹拌翼２を駆動し、脱水時は洗濯兼脱水槽３を回転させる。
【０００４】
排水弁９は洗濯兼脱水槽３内の洗濯水を排水するもので、外槽１の下側に配設している。水位検知手段１０は、洗濯兼脱水槽３内の水位を検知するものである。蓋１１は筐体５の上側に設けている。流体バランサー１２は脱水時の振動を低減させるもので、洗濯兼脱水槽３の上部に設けている。
【０００５】
制御装置１３は、モータ６などを制御するもので、図７に示すように構成しており、電圧検知手段１４は、モータ６の惰性回転時の逆起電力を検知するもので、その出力を布量検知手段１５に入力し、布量検知手段１５により洗濯兼脱水槽３内の洗濯物の量を検知する。操作表示手段１６は、使用者が操作して所望の入力をし、動作状態を表示する。
【０００６】
制御手段１７は、水位検知手段１０、布量検知手段１５、操作表示手段１６などの出力により、洗い、すすぎ、脱水の各行程を逐次制御する。記憶手段１８は、制御手段１７により洗い、すすぎ、脱水の各行程を逐次制御するのに必要なデータを記憶している。パワースイッチング手段１９は、制御手段１７の出力によりモータ６、排水弁９、給水弁２０などの通電を制御する。なお、２１はモータ６の進相用コンデンサ、２２は電源スイッチ、２３は商用電源である。
【０００７】
上記構成において、洗い、すすぎ、脱水のそれぞれの行程間および脱水行程における脱水回転数と脱水時間は一定の設定にしていた。
【特許文献１】特開平７−２６５５７５号公報
【発明の開示】
【発明が解決しようとする課題】
【０００８】
このような従来の洗濯機では、脱水回転数と脱水時間を一定の設定にしているため、冬期などの水温が低い場合は、脱水効率が上がらないという不具合もあった。また、昨今の様々な使用環境において、外槽１や洗濯兼脱水槽３の変形を助長するような温水を使って洗濯する場合、外槽１や洗濯兼脱水槽３は温度の影響を受けやすいため、構造的な強度や耐久性の確保の安全性から脱水回転数を高い回転数に設定できず、脱水効率を上げるためには時間を延ばさなければならないという不具合もあった。
【０００９】
本発明は上記課題を解決するもので、外槽および洗濯兼脱水槽内の水温に合わせた脱水回転数と脱水時間を設定できるようにし、水温による構造的な強度や耐久性を確保し、さらに脱水効率のばらつきを低減することを目的としている。
【課題を解決するための手段】
【００１０】
本発明は上記目的を達成するために、外槽内に洗濯兼脱水槽を回転自在に設け、この洗濯兼脱水槽の内底部に撹拌翼を回転自在に設け、洗濯兼脱水槽および撹拌翼を駆動手段により駆動し、制御手段により駆動手段などの動作を制御し洗い、すすぎ、脱水の一連の行程を逐次制御し、外槽および洗濯兼脱水槽内の水温を水温検知手段により検知するよう構成し、制御手段は、洗い、すすぎ、脱水行程のそれぞれの行程間および脱水行程の少なくとも１つにおいて洗濯兼脱水槽を回転させる行程を有し、水温検知手段の出力に応じてその回転数と時間のうち少なくとも時間を変更可能としたものである。
【００１１】
これにより、外槽および洗濯兼脱水槽内の水温に合わせた脱水回転数と脱水時間を設定することができ、水温による構造的な強度や耐久性を確保することができ、さらに脱水効率のばらつきを低減することができる。
【発明の効果】
【００１２】
以上のように本発明の請求項１に記載の発明によれば、洗い、すすぎ、脱水行程のそれぞれの行程間および脱水行程の少なくとも１つにおいて洗濯兼脱水槽を回転させる行程を有し、外槽および洗濯兼脱水槽内の水温を検知する水温検知手段の出力に応じてその回転数と時間のうち少なくとも時間を変更可能としたから、外槽および洗濯兼脱水槽内の水温に合わせた脱水回転数と脱水時間を設定することができ、水温による構造的な強度や耐久性を確保でき、さらに水温による脱水効率のばらつきを低減することができる。
【発明を実施するための最良の形態】
【００１３】
本発明の請求項１に記載の発明は、外槽内に回転自在に設けた洗濯兼脱水槽と、この洗濯兼脱水槽の内底部に回転自在に設けた撹拌翼と、前記洗濯兼脱水槽および撹拌翼を駆動する駆動手段と、前記駆動手段などの動作を制御し洗い、すすぎ、脱水の一連の行程を逐次制御する制御手段と、前記外槽および前記洗濯兼脱水槽内の水温を検知する水温検知手段とを備え、前記制御手段は、洗い、すすぎ、脱水行程のそれぞれの行程間および前記脱水行程の少なくとも１つにおいて前記洗濯兼脱水槽を回転させる行程を有し、前記水温検知手段の出力に応じてその回転数と時間のうち少なくとも時間を変更可能としたものであり、外槽および洗濯兼脱水槽内の水温に合わせた脱水回転数と脱水時間を設定することができ、水温による構造的な強度や耐久性を確保でき、さらに水温による脱水効率のばらつきを低減することができる。
【００１４】
請求項２に記載の発明は、外槽内に回転自在に設けた洗濯兼脱水槽と、この洗濯兼脱水槽の内底部に回転自在に設けた撹拌翼と、前記洗濯兼脱水槽および撹拌翼を駆動する駆動手段と、前記駆動手段などの動作を制御し洗い、すすぎ、脱水の一連の行程を逐次制御する制御手段と、前記洗濯兼脱水槽内の洗濯物の量を検知する布量検知手段とを備え、前記制御手段は、洗い、すすぎ、脱水行程のそれぞれの行程間および前記脱水行程の少なくとも１つにおいて前記洗濯兼脱水槽を回転させる行程を有し、前記布量検知手段の出力に応じてその回転数と時間のうち少なくとも時間を変更可能としたものであり、洗濯物の量に合わせた脱水回転数と脱水時間を設定することができ、洗濯物の量による脱水効率のばらつきを低減することができる。
【００１５】
請求項３に記載の発明は、外槽内に回転自在に設けた洗濯兼脱水槽と、この洗濯兼脱水槽の内底部に回転自在に設けた撹拌翼と、前記洗濯兼脱水槽および撹拌翼を駆動する駆動手段と、前記駆動手段などの動作を制御し洗い、すすぎ、脱水の一連の行程を逐次制御する制御手段とを備え、前記制御手段は、洗い、すすぎ、脱水行程のそれぞれの行程間および前記脱水行程の少なくとも１つにおいて前記洗濯兼脱水槽を回転させる行程を有し、前記洗濯兼脱水槽内の洗濯物の量を検知する布量検知手段、前記外槽および前記洗濯兼脱水槽内の水温を検知する水温検知手段の出力に応じてその回転数と時間のうち少なくとも時間を変更可能としたものであり、水温が高い場合でも洗濯物の量が少ない場合は脱水回転数を高い回転数に設定にすることにより、脱水効率を向上して、水温と洗濯物の洗濯物の量による構造的な強度や耐久性を確保することができる。
【実施例】
【００１６】
以下、本発明の実施例について、図面を参照しながら説明する。なお、従来例と同じ構成のものは同一符号を付して説明を省略する。
【００１７】
（実施例１）
図１および図２に示すように、制御装置２４は、マイクロコンピューターで構成した制御手段２５を有し、パワースイッチング手段１９を介してモータ６、排水弁９、給水弁２０などの動作を制御し、洗い、すすぎ、脱水などの一連の行程を逐次制御する。操作表示手段１６は、運転コース等を設定するもので、制御手段２５は操作表示手段１６からの情報を入力して、その情報を基に表示して使用者に知らせる。記憶手段１８は、制御手段２５により制御するのに必要なデータを記憶している。
【００１８】
水温検知手段２６は、外槽１の外底部に設け、外槽１および洗濯兼脱水槽３内の水温を検知するもので、その出力を制御装置２４を構成する制御手段２５に入力している。ここで、制御手段２５は、水温検知手段２６の出力に応じて、各脱水行程の回転数と時間を変更可能としている。
【００１９】
図３は洗濯機の基本的な運転手順を示す。制御手段２５は、洗い行程２７、中間脱水行程２８、滝すすぎ行程２９、中間脱水行程３０、ためすすぎ行程（または、注水すすぎ）３１、脱水行程３２の順に順次行程を実行する。
【００２０】
上記構成において動作を説明すると、洗濯兼脱水槽３に洗濯物を投入して洗濯を開始すると、給水弁２０を開いて給水を開始し、水位を検知する水位検知手段１０により検知し設定水位に達すると、給水弁２０を閉じて洗い行程２７を開始する。
【００２１】
上記動作終了後、中間脱水行程２８を実行する。排水弁９を開いて外槽１内の洗濯水を排水した後、減速機構兼クラッチ８を脱水側に切り換えて、モータ６の動力を、脱水軸を介し洗濯兼脱水槽３に伝達して回転させ、洗濯物に遠心力を与えることにより、水分を洗濯物から分離することで行う。
【００２２】
つぎに、制御手段２５は、滝すすぎ行程２９を実行する。排水弁９は開放状態を維持し、給水弁２０を開放して給水を行う間、モータ６を間欠的に動作させることにより、洗濯兼脱水槽３を間欠的に回転させる。したがって、洗濯兼脱水槽３がゆっくりと回転しながら給水が行われて、洗濯兼脱水槽３内の洗濯物に万遍なく水が降りかかり、洗濯物全体にしみこんでゆく。その後、給水弁２０を閉じ、モータ６を駆動して、洗濯兼脱水槽３を回転させて中間脱水行程３０を行う。
【００２３】
上記中間脱水行程３０が終了すると、制御手段２５はためすすぎ行程３１を実行する。この行程は、洗い行程２７と同様に、制御手段２５は、水位検知手段１０によって、所定水位を検知するまで給水弁２０を開放して給水する。排水弁９はためすすぎ行程３１前に閉じておく。所定水位が検知されると給水弁２０は閉じられる。そして、減速機構兼クラッチ８を洗濯側に切り換えて、モータ６の駆動により撹拌翼２を回転させて、ためすすぎが行われる。
【００２４】
上記ためすすぎ行程３１が終了すると、制御手段２５は脱水行程３２を実行する。脱水行程３２において、まず排水弁９を開放して、ためすすぎ時の水を排水する。排水が終了すると、制御手段２５は減速機構兼クラッチ８をを脱水側に切り換えて、モータ６の動力を脱水軸を介し洗濯兼脱水槽３に伝達して回転させ、脱水行程３２が実行される。排水弁９は開放状態を維持する。脱水行程３２の終了により運転終了となる。
【００２５】
以上のような一連の動作において、排水動作を開始する直前に、水温検知手段２６によって、外槽１および洗濯兼脱水槽３内の水温を検知し、そのときの水温により、次行程における中間脱水行程２８、中間脱水行程３０、脱水行程３２の脱水回転数と脱水時間とを変更する。
【００２６】
脱水回転数と脱水時間の設定として、脱水回転数を固定値に設定した場合で冬期など水道水を使用して洗濯をするような水温が常温よりも極端に低い場合は、脱水効率が下がる傾向があるため、脱水時間を標準の脱水時間ｔ０よりも長い時間ｔ１（ｔ１＞ｔ０）に設定して脱水を行う。また、逆に、温水を使って洗濯をするような水温が極端に高い場合は、脱水効率が上がるため、脱水時間を標準の脱水時間ｔ０よりも短い時間ｔ２（ｔ２＜ｔ０）に設定して脱水を行う。
【００２７】
さらに、脱水回転数を固定しない場合で水温が極端に低い場合は、脱水回転数を標準の脱水回転数ｒ０よりも高い回転数ｒ１に設定することで脱水効率が上がるため、脱水時間を標準の脱水時間ｔ０よりも短い時間ｔ３に設定して脱水を行う。また、水温が極端に高い場合は、外槽１や洗濯兼脱水槽３の脱水回転数を高い回転数に設定にしてしまうと、変形量が大きくなり、強度や耐久性の問題が出てくる。そのため、脱水回転数ｒ０よりも低い回転数ｒ３に設定することで安全性を確保し、それに伴い標準の脱水時間ｔ０よりも長い時間ｔ４に設定して脱水を行う。
【００２８】
なお、上記説明の脱水回転数と脱水時間の組合せは一例であり、様々な状況に合わせて変更可能とする。
【００２９】
このように本実施例によれば、洗い、すすぎ、脱水行程のそれぞれの行程の中間脱水行程２８、中間脱水行程３０において、水温検知手段２６の出力に応じてその回転数と時間のうち少なくとも時間を変更可能としたので、外槽１および洗濯兼脱水槽３内の水温に合わせた脱水回転数と脱水時間を設定することができ、水温による構造的な強度や耐久性を確保することができ、さらに脱水効率のばらつきを低減することができる。
【００３０】
（実施例２）
図４に示すように、回転検知手段３３はホールＩＣなどで構成し、モータ６に取り付けて、モータ６の回転を検知するものである。布量検知手段３４は、洗濯兼脱水槽３の洗濯物の量を検知するもので、回転検知手段３３の出力を制御装置３６を構成する制御手段３５に入力し、モータ６により撹拌翼２を駆動した後、駆動を停止したときの撹拌翼２の回転数の低下度合いにより洗濯兼脱水槽３内の洗濯物の量を検知する。
【００３１】
制御手段３５は、布量検知手段３４の出力を受けて複数存在する洗濯パターンや洗濯水位をどのパターンに設定するか決定するようにしている。ここで、制御手段３５は、布量検知手段３４の出力に応じて、各脱水行程の回転数と時間を変更可能としている。他の構成は上記実施例１と同じであり、同一符号を付して説明を省略する。
【００３２】
上記構成において動作を説明する。なお、基本動作は上記実施例１の動作と同じであるので説明を省略する。
【００３３】
脱水回転数と脱水時間の設定として、洗濯物の量が多い場合は、脱水効率が悪くなるため脱水時間を長くして脱水を行う。また、逆に、洗濯物の量が少ない場合は、脱水効率が良くなるため、脱水時間を短くして脱水を行う。
【００３４】
また、強度や耐久性を確保するため、洗濯物の量が多い場合は、脱水回転数を下げるとともに脱水時間を長くして脱水を行う。
【００３５】
このように本実施例によれば、洗い、すすぎ、脱水行程のそれぞれの行程の中間脱水行程２８、中間脱水行程３０において、布量検知手段３４の出力に応じてその回転数と時間のうち少なくとも時間を変更可能としたので、洗濯物の量に合わせた脱水回転数と脱水時間を設定することができ、洗濯物の量による脱水効率のばらつきを低減することができる。
【００３６】
（実施例３）
図５に示すように、水温検知手段２６は、外槽１の外底部に設け、外槽１および洗濯兼脱水槽３内の水温を検知するもので、その出力を制御装置３７を構成する制御手段３８に入力している。
【００３７】
回転検知手段３３はホールＩＣなどで構成し、モータ６に取り付けて、モータ６の回転を検知するものである。布量検知手段３４は、洗濯兼脱水槽３の洗濯物の量を検知するもので、回転検知手段３３の出力を制御装置３７を構成する制御手段３８に入力し、モータ６により撹拌翼２を駆動した後、駆動を停止したときの撹拌翼２の回転数の低下度合いにより洗濯兼脱水槽３内の洗濯物の量を検知する。
【００３８】
ここで、制御手段３８は、水温検知手段２６と布量検知手段３４の出力に応じて、各脱水行程の回転数と時間を変更可能としている。他の構成は上記実施例１または２と同じであり、同一符号を付して説明を省略する。
【００３９】
上記構成において動作を説明する。なお、基本動作は上記実施例１の動作と同じであるので説明を省略する。
【００４０】
脱水回転数と脱水時間の設定として、水温が極端に高い場合は、外槽１や洗濯兼脱水槽３の脱水回転数を高い回転数に設定にしてしまうと、変形量が大きくなり、強度や耐久性の問題が出てくるが、洗濯物の量が少ない場合は、影響度合いが非常に少なくなるため、洗濯物の量に応じて、水温が高温のときでも、脱水回転数を高い回転数に設定する。
【００４１】
このように本実施例によれば、洗い、すすぎ、脱水行程のそれぞれの行程の中間脱水行程２８、中間脱水行程３０において、洗濯兼脱水槽内の洗濯物の量を検知する布量検知手段、前記外槽および前記洗濯兼脱水槽内の水温を検知する水温検知手段の出力に応じてその回転数と時間のうち少なくとも時間を変更可能としたので、水温が高い場合でも洗濯物の量が少ない場合は脱水回転数を高い回転数に設定にすることにより、脱水効率を向上して、水温と洗濯物の洗濯物の量による構造的な強度や耐久性を確保することができる。
【図面の簡単な説明】
【００４２】
【図１】本発明の第１の実施例の洗濯機の縦断面図
【図２】同洗濯機のブロック回路図
【図３】同洗濯機の基本的運転手順のシーケンスを示す図
【図４】本発明の第２の実施例の洗濯機のブロック回路図
【図５】本発明の第３の実施例の洗濯機のブロック回路図
【図６】従来の洗濯機の縦断面図
【図７】同洗濯機のブロック回路図
【符号の説明】
【００４３】
１  外槽
２  撹拌翼
３  洗濯兼脱水槽
６  モータ（駆動手段）
２５ 制御手段
２６ 水温検知手段
【図１】
2005052286.tif 000003
【図２】
2005052286.tif 000004
【図３】
2005052286.tif 000005
【図４】
2005052286.tif 000006
【図５】
2005052286.tif 000007
【図６】
2005052286.tif 000008
【図７】
2005052286.tif 000009